(57)【要約】    【課題】詰め替え製品用の包装容器に印字された、製品のロット番号や記号など製品を特定する情報を、製品の詰め替え後もより容易に且つより確実に保存することが可能な、詰め替え製品用包装容器および情報の保存方法を提供する。    【解決手段】製品を特定する情報（５）が、包装容器（１）の本体部分と一体に形成されており且つ本体部分から切り離し可能である部分に表示されている。好ましくは、切り離し可能である部分が開封用のつまみ部分（３）であり、詰め替えの対象となる容器に取り付けて保持できるように作られている。あるいは、包装容器のほぼ全体が、切り離されずに容易に保持されることができる手段を有する。さらに、詰め替えの対象となる容器（２０１）が、詰め替え製品用包装容器のつまみ部分を保持するための部分（２０７）を有してもよい。【選択図】      図２ａ
2005162294.tif 000002
【特許請求の範囲】
【請求項１】
詰め替え製品用の包装容器であって、詰め替え後、その製品を特定する情報を容易に保存することができるように、該情報が、包装容器の本体部分と一体に形成され且つ該本体部分から切り離し可能である部分に表示又は記録されている、前記包装容器。
【請求項２】
前記製品を特定する情報は、製品の製造番号若しくは記号、又は製品に特有の記号若しくはシンボルマーク、又はその両方であり、前記切り離し可能である部分に、印刷若しくは刻印されているか、又は磁気方式若しくは電波方式によって読み出し可能な電子データとして記録されている、請求項１に記載の包装容器。
【請求項３】
前記詰め替え製品用の包装容器が、プラスチックフィルム、プラスチックフィルムの積層フィルム、又は、プラスチックフィルム及び金属箔の積層フィルムから成る、袋状の包装容器である、請求項１又は２に記載の包装容器。
【請求項４】
前記切り離し可能である部分が、包装容器を開封するためのつまみ部分である、請求項３に記載の包装容器。
【請求項５】
前記切り離し可能である部分が、詰め替えの対象となる容器に取り付けて保持できるように作られている、請求項１から４のいずれか一項に記載の包装容器。
【請求項６】
前記詰め替えの対象となる容器が、ポンプディスペンサ付きの容器であり、前記切り離し可能である部分が、該ポンプディスペンサ付きの容器の一部分に引っ掛けて保持されるように、鉤形状部分または穴を有している、請求項５に記載の包装容器。
【請求項７】
請求項１から６に記載された詰め替え製品用の包装容器における切り離し可能である部分を保持するように形成された部分を有する、詰め替えの対象となる容器。
【請求項８】
前記切り離し可能である部分を保持するように形成された部分が、突起、窪み、又はポケットである、請求項７に記載の容器。
【請求項９】
詰め替え製品用の包装容器から詰め替えの対象となる容器に内容物を詰め替える際、
詰め替え製品用の包装容器から、その製品を特定する情報が表示又は記録された部分を切り離す段階と、該切り離された部分を、詰め替えの対象となる容器に取り付ける段階とを含んでいる、詰め替え製品を特定する情報を保存する方法。
【請求項１０】
詰め替え製品用の包装容器であって、詰め替え後、その製品を特定する情報を容易に保存することができるように、該情報が表示又は記録された該包装容器のほぼ全体が、詰め替えの対象となる容器に取り付けて保持できるように作られている、前記包装容器。
【請求項１１】
前記詰め替えの対象となる容器が、ポンプディスペンサ付きの容器であり、前記詰め替え製品用の包装容器が、プラスチックフィルム、プラスチックフィルムの積層フィルム、又は、プラスチックフィルム及び金属箔の積層フィルムから成る、袋状の包装容器であり、該袋状の包装容器は、前記ポンプディスペンサ付きの容器の一部分に引っ掛けて保持されるように、鉤形状部分又は穴を有している、請求項１０に記載の包装容器。
【発明の詳細な説明】
【技術分野】
【０００１】
本発明は、詰め替え製品用の包装容器に関し、特にその製品を特定する情報が表示された包装容器に関する。また本発明は、詰め替え製品用の包装容器から内容物を詰め替える対象となる容器に関する。さらに本願発明は、詰め替え製品を特定する情報を保存する方法に関する。
【０００２】
なお、以下において、「詰め替え用の包装容器」とは、その内容物を他の容器（一般には、再使用する容器）に移し替えた後、一般には廃棄される包装容器のことをいう。
【０００３】
また、「詰め替えの対象となる容器」とは、その内容物の残量が少なくなったか無くなった際、一般には同様の内容物を、詰め替え用の包装容器から移し替えることにより、再使用することを前提にした容器のことをいう。詰め替えの対象となる容器は、あらかじめ内容物が充填された状態で市場に流通されても、空の状態で市場に流通されてもよい。
【背景技術】
【０００４】
現在、環境対策の一環として、粧業品や洗剤などといった液体または粉体製品の容器を再使用することが盛んになっている。そのため、再使用する容器に移し替えることを目的とした詰め替え製品が一般消費財市場に多く出回っている。
【０００５】
これら詰め替え製品は、その多くが、例えば、プラスチックフィルムやプラスチックフィルムと金属箔の積層材料を用いた袋状の包装容器、いわゆるパウチ、に包装された状態で市場に流通されている。
【０００６】
これらパウチには、詰め替え製品を特定する情報、それぞれ製品の製造場所や製造期日等を表わすロット番号や記号などが印字されているが、それらロット番号や記号は商品のデザインを損なわないように底面や裏面下部などの目立たない個所に印字されるのが一般的である。
【０００７】
なお、そのようなパウチへの直接的な印字に代えてシールに印字を行い、これをパウチに貼着しているものもある（例えば特開２００２−３３７８８１号公報参照）。
【０００８】
【特許文献１】特開２００２−３３７８８１号公報
【発明の開示】
【発明が解決しようとする課題】
【０００９】
これらロット番号や記号は製品に関する苦情や問い合わせを受けた際にその製造期日や製造場所を追跡するのに重要である。しかしながら、詰め替え製品用の包装容器は通常、繰り返し使用されることはなく、再使用する容器に製品を移し替えた後、直ちに廃棄されてしまうのが一般的である。それと共にロット番号や記号が分からなくなってしまう。
【００１０】
そこで各製品の製造元企業では詰め替え用包装容器に充填された製品の説明書において、ロット番号を書き写して控えておくよう消費者に推薦している場合が多い。しかしながら、実際にはそのような煩雑な作業を消費者が行なうことは希であり、製造元企業では詰め替え用製品に関する苦情や問い合わせを受けた際にその製品の履歴を追跡することができず、原因を究明し、改善を行なうことが難しいのが現状である。
【００１１】
なお、特開２００２−３３７８８１号公報には、詰め替えられた内容物を特定する表示がなされたタックラベルが、剥離可能に且つ剥離後において再貼着可能に貼着された、詰め替え用容器が開示されている。
【００１２】
しかし、そのようなタックラベルは、容器を開封する動作と、タックラベルを剥がす動作とが、独立しており、別々に行なわなければならず、そのため、作業が面倒であり、また、消費者は内容物を移し替え終えた後、タックラベルを貼り替えることを忘れたまま詰め替え用容器を廃棄してしまいがちである。
【００１３】
また、内容物として粧業品や洗剤などを用いる場合、移し替え作業はバスルームやキッチンなど水に濡れやすい場所で行なわれることが多く、従って、タックラベルやタックラベルを貼着しようとする容器が水に濡れると、貼着できない、または貼着が不十分となり、タックラベルが剥がれ落ちて内容物を特定する表示が紛失されてしまう等の問題がある。よって、詰め替え時、これらを水に濡らさないように十分な注意を払って作業する必要がある。また、水に濡れてもできるだけ貼着力を保つことができるように、タックラベルまたはその貼着材料に特殊な材料を用いる必要もある。
【００１４】
本発明はこのような現状に鑑み、詰め替え用包装容器に充填された製品のロット番号や記号など、製品を特定する情報をより容易に、且つより確実に保存することを目的としている。
【課題を解決するための手段】
【００１５】
本発明によれば、前述の目的は、詰め替え製品用の包装容器であって、詰め替え後、その製品を特定する情報を容易に保存することができるように、該情報が、包装容器の本体部分と一体に形成されており且つ該本体部分から切り離し可能である部分に表示又は記録されている包装容器によって達成される。
【００１６】
本発明の詰め替え製品用の包装容器によれば、詰め替えを行なった際に、その製品を特定する情報が表示又は記録された部分を、包装容器の本体部分から切り離すことにより、製品を特定する情報を容易に保存することができ、消費者は製品を特定する情報を書き写して保存していくといった煩雑な作業をする必要がなくなる。さらに、製品を特定する情報が表示又は記録された部分は、包装容器の本体部分と一体に形成されているため、製造が容易であり、また、表示された情報と製品との対応をより確実にすることができる。
【００１７】
製品を特定する情報は、製品の製造番号若しくは記号、又は製品に特有の記号若しくはシンボルマーク、又はその両方であり得る。また、製品を特定する情報は、切り離し可能である部分に印刷若しくは刻印されるか、又は磁気方式若しくは電波方式によって読み出し可能な電子データとして記録されることが可能である。
【００１８】
詰め替え製品用の包装容器は、プラスチックフィルム、プラスチックフィルムの積層フィルム、又は、プラスチックフィルム及び金属箔の積層フィルムから成る、袋状の包装容器であり得る。
【００１９】
切り離し可能である部分は、包装容器を開封するためのつまみ部分であるのが好ましい。
【００２０】
切り離し可能である部分は、詰め替えの対象となる容器に取り付けて保持できるように作られているのが好ましい。
【００２１】
特に、切り離し可能である部分が包装容器の本体部分から切り離し可能である開封用のつまみ部分である場合には、容器を開封する動作と、製品を特定する情報が表示された部分の切り離し動作とが同時に行なわれる（ワンアクション）。よって、消費者は、容器を開封した時点で製品を特定する情報が表示されたつまみ部分を手にしており、そのままこのつまみ部分を保存することができるため、製品を特定する情報をより容易に保存することができる。
【００２２】
詰め替えの対象となる容器は、ポンプディスペンサ付きの容器であり、切り離し可能である部分が、該ポンプディスペンサ付きの容器の一部分に引っ掛けて保持されるように、鉤形状部分又は穴を有しているのが好ましい。
【００２３】
包装容器の本体部分から切り離された部分を、詰め替えの対象となる容器に取り付けて保持することにより、実際に使用する容器と共に、製品を特定する情報を保存することが可能となる。また、水に濡れやすい場所での作業およびその後の使用においても、製品を特定する情報を紛失してしまう可能性の低い、より確実な保存が可能となる。
【００２４】
特に、詰め替えの対象となる容器がポンプディスペンサ付きの容器である場合には、切り離された部分を該ポンプディスペンサ付きの容器の一部分、例えば柄に引っ掛けるように保持することにより、製品を特定する情報の保存が一層確実となる。
【００２５】
本発明によれば、前述の目的は、上述した詰め替え製品用の包装容器における切り離し可能である部分を保持するように形成された部分を有する、詰め替えの対象となる容器によっても達成される。
【００２６】
本発明の詰め替えの対象となる容器によれば、詰め替え製品用の包装容器に特別な工夫をしなくても、詰め替えを行なった際に、その製品を特定する情報が表示された部分を包装容器の本体部分から切り離すだけで、詰め替えの対象となる容器に取り付けて保持することができ、製品を特定する情報をさらに容易に保存することができる。
【００２７】
前記切り離し可能である部分を保持するように形成された部分は、突起、窪み、又はポケットであるのが好ましい。
【００２８】
本発明によれば、前述の目的は、詰め替え製品用の包装容器から詰め替えの対象となる容器に内容物を詰め替える際、詰め替え製品用の包装容器から、その製品を特定する情報が表示又は記録された部分を切り離す段階と、該切り離された部分を、詰め替えの対象となる容器に取り付ける段階とを含んでいる、詰め替え製品を特定する情報を保存する方法によっても達成される。
【００２９】
本発明の製品を特定する情報の保存方法によれば、詰め替えを行なった際に、その製品を特定する情報が表示又は記録された部分を包装容器から切り離し、詰め替えの対象となる容器に保持することにより、製品を特定する情報をさらに容易に保存することができる。
【００３０】
本発明によれば、前述の目的は、詰め替え製品用の包装容器であって、詰め替え後、その製品を特定する情報を容易に保存することができるように、該情報が表示又は記録された該包装容器の実質的な全体が、詰め替えの対象となる容器に取り付けて保持できるように作られている、包装容器によっても達成される。
【００３１】
本発明の詰め替え製品用の包装容器によれば、詰め替えを行なった際に、その製品を特定する情報が表示又は記録された包装容器のほぼ全体を、その表示場所にかかわらず、詰め替えの対象となる容器に取り付けて保持することにより、製品を特定する情報を容易に保存することができる。
【００３２】
これは、ハンドソープ等の小型の容器に適しており、詰め替え製品用の包装容器のほぼ全体を、詰め替えを行なった後に廃棄せず、詰め替えの対象となる容器に取り付けて保持することにより、消費者は詰め替えを行なった後にワンアクションで、容易に製品を特定する情報を保存することができる。
【００３３】
なお、製品を特定する情報として販売促進活動用の記号、番号、シンボルマークなどを用いれば、より有効な販売促進活動を行なうことが可能となる。
【発明を実施するための最良の形態】
【００３４】
以下に、製品が頭髪洗浄剤である、本発明の実施の形態について詳述する。なお、類似する構成要素は同一の符号を用いて示してある。
【００３５】
図１から図３に、本発明による詰め替え製品用の包装容器の第一の実施の形態を示す。
【００３６】
図１にその全体形状が示された詰め替え製品用の包装容器１はプラスチックフィルムの積層フィルムから形成されている、いわゆるパウチである。包装容器１は、底部と胴部がヒートシールされて上部が開口した状態で、上部から製品を充填される。その後に上部が、シールされていない吐出部２が形成されるようなヒートシールパターンによりヒートシールされて密封されている。
【００３７】
包装容器１の周縁部には包装容器１を開封するためのつまみ部分、いわゆるプルタブ３が、包装容器１本体と一体に形成されて設けられている。プルタブ３は、ミシン目のような切り取り線４によって包装容器１から切り離されることが可能であり、切り取り線４はシールされていない吐出部２を横断するように設けられている。
【００３８】
プルタブ３が切り離されることによりシールされていない吐出部２が露出する。すなわち、包装容器１が開封され、包装容器１から製品を排出することが可能になる。
【００３９】
なお、切り取り線４の替わりに包装容器１の縁部に切り欠き部、例えばノッチを設け、切り欠き部からプルタブ３を切り離す際に切り取り線がシールされていない吐出部２を横断するようにしてもよい。
【００４０】
プルタブ３を拡大して示す図２ａに見られるように、プルタブ３には、製品である頭髪洗浄剤を特定する情報５、例えばロット番号や記号が、印刷や刻印等で表示されている。
【００４１】
なお、印刷や刻印等による表示に代えて、又はこれと一緒に、磁気方式又は電波方式などの電磁気的方式による認証タグを、プルタブ３に設けてもよい。製品を特定する情報が電磁気的方式によって読み出し可能な電子データとして記録される場合には、印刷若しくは刻印の場合と比較して、より多くの情報量のデータを記録することが可能であり、また、製品を特定する情報が消費者に直接視認されることがないため、情報の秘密性を保つことも可能である。
【００４２】
プルタブ３は、外周から内側に湾曲してくびれ部分６ａおよび円形拡大部分６ｂを形成する鉤形状の切り欠き穴６を有しており、詰め替えの対象の容器に引っ掛けて取り付けることによってプルタブ３を保持できるような形状となっている。
【００４３】
なお、プルタブ３の形状は図２ａに示したものに限られず、包装容器１から容易に切り離すことができる形状であればよい。また、切り欠き穴６の形状も図２ａに示したものに限られず、他の容器に引っ掛けて取り付けることができる形状であればよい。
【００４４】
図２ｂには、プルタブ３が詰め替えの対象となる容器１０１にどのように保持されるかが示されている。容器１０１においては、容器本体１０２に蓋１０３が取り外し可能に螺合しており、蓋１０３は容器本体１０２の開口部（図示せず）を覆っている。蓋１０３にはポンプディスペンサ１０４が一体となって取り付けられている。ポンプディスペンサ１０４は柄部１０５とノズル１０６を有している。
【００４５】
通常、容器の内容物は容器本体１０２からポンプディスペンサ１０４によって柄部１０５とノズル１０６を通って排出され、使用に供される。
【００４６】
詰め替えの対象となる容器本体１０２内の製品の残り量が少なくなると、容器本体１０２の蓋１０３が取り外され、容器本体１０２の開口部が露出する。一方、プルタブ３が切り離されることによって詰め替え用製品の包装容器１が開封され、包装容器１内の製品が移し替え可能となる。包装容器１内の製品が所定の方法で容器本体１０２の開口部から容器１０１へと移し替えられた後、容器本体１０２に再び蓋１０３が取り付けられ、移し替えられた製品が使用に供される。一方、プルタブ３が切り離された後の包装容器１は、廃棄される。
【００４７】
包装容器１から切り離されたプルタブ３は、くびれ部分６ａおよび円形拡大部分６ｂを持つ切り欠き穴６によってポンプディスペンサ１０４の柄部１０５に容易に引っ掛けることが可能である。すなわち、プルタブ３が可撓性のあるプラスチックフィルムで形成されているため、くびれ部分６ａを柄部１０５に押し込むと、くびれ部分６ａが容易に撓み、柄部１０５は円形拡大部分６ｂへ容易に導入され、円形拡大部分６ｂを引っ掛ける。このようにして、プルタブ３は柄部１０５によって容器１０１に首掛け状態に保持される。
【００４８】
よって、製品が詰め替えの対象となる容器１０１に移し変えられて包装容器１が廃棄された後も、プルタブ３に印字された製品を特定する情報５は、煩雑な作業を行なうことなく保存されることが可能となる。
【００４９】
しかも、消費者は製品を移し替える際、包装容器１を開封した直後にプルタブ３を手に持つことになる。そのため消費者は、開封動作と同時に製品を特定する情報を手にすることができ、そのままプルタブを詰め替えの対象となる容器に引っ掛けるだけで、製品を特定する情報はより確実に保存されることとなる。
【００５０】
なお、製品を特定する情報はロット番号や記号に限られず、販売促進活動用の記号、番号、シンボルマークなどであってもよい。これによって、その製品に固有な乱数を印字して消費者プレゼントの応募番号として使用したり、電子メールのアドレス、ホームページのＵＲＬ等を印字するなどして販売促進活動を行なうことが可能となる。
【００５１】
図３ａから図３ｃに、第一の実施の形態の変形例を示す。図３ｂに見られるように、プルタブ１３には、製品である頭髪洗浄剤を特定する情報１５、例えばロット番号や記号が、印刷や刻印等で表示されている。さらにプルタブ１３には切り込み１６が設けられており、切り込み１６によって部分１６ａがプルタブ１３から半ば分離されている。部分１６ａを折り込むことにより、プルタブ１３に切り欠き穴６に類似した鉤形状が形成されるので、図３ｂのようにこの形状の部分を詰め替えの対象の容器の柄部１０５に導入し、引っ掛けて取り付けることによってプルタブ１３を首掛け状態に保持することができる。
【００５２】
切り込み１６の形状は図３ａおよび図３ｂに示したものに限られず、切り込みによって半ば分離された部分１６ａを折り込むことにより、他の容器に引っ掛けて取り付けることができる形状が形成されるようなものであればよい。
【００５３】
図４に、第一の実施の形態の他の変形例を示す。プルタブ２３には、製品である頭髪洗浄剤を特定する情報２５、例えばロット番号や記号が、印刷や刻印等で表示されている。さらにプルタブ２３には、プルタブの輪郭線とは分離している閉じた穴２６が設けられている。穴２６は、それ自体をそのまま詰め替えの対象の容器のノズル１０６、容器本体１０２の首部などに引っ掛けて取り付けることによってプルタブ２３を保持できる。もしくは、プルタブ２３を事後的に切断することによって外周部と穴とを連絡する切裂部を設けることにより、穴２６と切裂部とが切り欠き穴６に類似した形状を形成するので、図３ｂのようにこの形状の部分に詰め替えの対象の容器の柄部１０５を導入し、引っ掛けて取り付けることによってプルタブ３を首掛け状態に保持することができる。
【００５４】
穴２６の形状は図４に示したものに限られず、穴自体の形状、または切断によって設けられた切裂部と穴とが形作る形状が他の容器に引っ掛けて取り付けることができるようなものであればよい。
【００５５】
図５ａおよび図５ｂに、第一の実施の形態のさらなる変形例を示す。図５ａに見られるように、プルタブ３３には、製品である頭髪洗浄剤を特定する情報３５、例えばロット番号や記号が、印刷や刻印等で表示されている。さらにプルタブ３３には、両端でプルタブ３３に接続されたフック３６が設けられている。フック３６の一部には切り込み３６ａが設けられており、図５ｂのように切り込み３６ａを開くとフック３６が鉤形状となり、フック３６を詰め替えの対象の容器の柄部に引っ掛けて取り付けることによってプルタブ３３を首掛け状態に保持することができる。
【００５６】
フック３６の形状は図５に示したものに限られず、プルタブ３３と２箇所で接続されていて閉じた曲線を描いており一部に切り込みが設けられており、切り込みを開くことによってフック３６を他の容器に引っ掛けて取り付けることができる形状であればよい。
【００５７】
図６ａから図６ｃに、第一の実施の形態のさらなる変形例を示す。図６ａに見られるように、プルタブ４３は、包装容器４１と一体になって成型されたシール４３ａおよび台紙４３ｂからなっており、シール４３ａには、製品である頭髪洗浄剤を特定する情報４５、例えばロット番号や記号が、印刷や刻印等で表示されている。
【００５８】
図６ｂのようにシール４３ａと台紙４３ｂとは剥離可能であり、プルタブ４３がミシン目によって包装容器４１から切り離された後、シール４３ａは台紙４３ｂから剥離されて図６ｃのように詰め替えの対象の容器に貼着されることが可能となっている。
【００５９】
なお、上記した各変形例は排他的なものではなく、当業者にとって可能な範囲において、併用して実施されてもよい。
【００６０】
次いで、図７に、本発明による詰め替えの対象となる容器の第二の実施の形態を示す。
【００６１】
詰め替えの対象となる容器２０１の容器本体２０２に、プルタブ３を挿入して保持するためのポケット２０７が設けられている。ポケット２０７は方形の透明もしくは半透明のプラスチックからなる。ポケット２０７の上下左右の四つの辺のうち、少なくとも一辺はプルタブ３を挿入できるように開いており、他の辺は容器本体と溶融接合されて閉じられている。ただし、挿入されたプルタブ３の落下を防止するように、少なくともポケット２０７の下部の辺は溶融接合されるのが望ましい。
【００６２】
ポケットの形状およびポケットを設ける箇所は図示したものに限られず、プルタブをポケットに保持することが可能であればよい。
【００６３】
図８に、第二の実施の形態の変形例を示す。詰め替えの対象となる容器において、容器本体にはプラスチック製のリング３０１が取り付けられている。リング３０１の一部は半径方向に突出しており、突出部の先端は上方に向けて折り曲げられてフック状の突起部３０１ａを形成する。突起部３０１ａは、円形拡大部分６ｂや穴２６等を引っ掛けることにより、プルタブ３を保持することが可能となっている。
【００６４】
突起部３０１ａの形状および突起部３０１ａを設ける箇所ならびに個数は図示したものに限られず、突起部３０１ａがリング３０１から突出したものである必要もない。突起部３０１ａは、円形拡大部分６ｂ等を引っ掛けることによりプルタブを保持することが可能であればよい。
【００６５】
第二の実施の形態のさらなる変形例として、詰め替えの対象となる容器において、蓋または容器本体の任意の一箇所に内側方向に細長く凹んだ溝を設けてもよい。溝にプルタブを差し込むことにより、プルタブを保持することが可能となっている。
【００６６】
なお、上記した各変形例は排他的なものではなく、当業者にとって可能な範囲において、併用して実施されてもよい。
【００６７】
次いで、詰め替え製品用の包装容器のほぼ全体に本発明を利用した、本発明の第三の実施の形態を記す。
【００６８】
包装容器の構造は第一の実施の形態およびその変形例に類似している。しかし、製品である頭髪洗浄剤を特定する情報、例えばロット番号や記号が表示又は記録されている箇所は、従来の包装容器と同様に、容器の下部などでよく、他の容器に引っ掛けるように形成された箇所もプルタブに限られない。
【００６９】
包装容器を開封して内容物を詰め替えの対象となる容器へ移し替えた後、包装容器の実質的な全体が第一の実施の形態と類似する態様で、詰め替えの対象となる容器のポンプディスペンサの柄部に引っ掛けられ、首掛け状態に保持される。
【００７０】
すなわち、製品が詰め替えの対象となる容器に移し変えられた後も包装容器の実質的な全体が廃棄されずに詰め替えの対象となる容器と共に保持されるため、製品を特定する情報も同時に、そして容易に保存されることとなる。
【００７１】
この実施の形態は、ハンドソープ等、詰め替え用製品の包装容器が比較的小型である詰め替え用製品に適している。
【００７２】
この実施の形態においては、包装容器は、プルタブが分離せずに付着したまま開封されるタイプの容器であってもよく、プルタブが存在せず容器の一部を裂くなどの方式により開封されるタイプの容器であってもよい。製品を特定する情報の表示箇所は、包装容器を開封する際に包装容器から分離されない箇所であれば、包装容器の任意の箇所でよい。保持手段の形状は第一の実施の形態に示したものに限られず、詰め替えの対象となる容器に係合または接着する任意の手段でよい。
【００７３】
各実施の形態ならびにその変形例は、当業者にとって可能である限りにおいて、適宜組み合わせられて同時に実施されてもよい。
【図面の簡単な説明】
【００７４】
【図１】本発明の第一の実施の形態に係る詰め替え製品用の包装容器の正面図である。
【図２ａ】図１に示された詰め替え製品用の包装容器の、プルタブ部分を拡大した図である。
【図２ｂ】図２ａに示された詰め替え製品用の包装容器のプルタブが、詰め替えの対象となる容器に保持された状態の斜視図である。
【図３ａ】本発明の第一の実施の形態の変形例に係る詰め替え製品用の包装容器の一部の正面図である。
【図３ｂ】図３ａに示された詰め替え製品用の包装容器の、プルタブ部分を示した図である。
【図３ｃ】図３ｂに示された詰め替え製品用の包装容器のプルタブが、詰め替えの対象となる容器に保持された状態の斜視図である。
【図４】本発明の第一の実施の形態の変形例に係る詰め替え製品用の包装容器の、プルタブ部分を拡大した図である。
【図５ａ】本発明の第一の実施の形態の変形例に係る詰め替え製品用の包装容器の、プルタブ部分を拡大した図である。
【図５ｂ】図５ａに示された詰め替え製品用の包装容器のプルタブが、詰め替えの対象となる容器に保持された状態の斜視図である。
【図６ａ】本発明の第一の実施の形態の変形例に係る詰め替え製品用の包装容器の、プルタブ部分を拡大した図である。
【図６ｂ】図６ａに示された詰め替え製品用の包装容器のプルタブにおいて、台紙からシールを剥離した図である。
【図６ｃ】図６ｂに示されたシールが、詰め替えの対象となる容器に貼着された状態の正面図である。
【図７】本発明の第二の実施の形態に係る詰め替えの対象となる容器の一部斜視図である。
【図８】本発明の第二の実施の形態の変形例に係る詰め替えの対象となる容器の一部斜視図である。
【符号の説明】
【００７５】
１  詰め替え製品用の包装容器
２、４２  シールされていない吐出部
３、１３、２３、３３、４３  プルタブ
４、１４、２４、３４、４４  切り取り線
５、１５、２５、３５、４５  製品を特定する情報
６  切り欠き穴
６ａ  くびれ部分
６ｂ  円形拡大部分
１６、３６ａ  切り込み
１６ａ  プルタブから半ば分離された部分
２６  穴
３６  フック
４３ａ  シール
４３ｂ  台紙
１０１、２０１  詰め替えの対象となる容器
１０２、２０２  容器本体
１０３  蓋
１０４  ポンプディスペンサ
１０５  柄部
１０６  ノズル
２０７  ポケット
３０１  リング
３０１ａ  突起
【図１】
2005162294.tif 000003
【図２ａ】
2005162294.tif 000004
【図２ｂ】
2005162294.tif 000005
【図３ａ】
2005162294.tif 000006
【図３ｂ】
2005162294.tif 000007
【図３ｃ】
2005162294.tif 000008
【図４】
2005162294.tif 000009
【図５ａ】
2005162294.tif 000010
【図５ｂ】
2005162294.tif 000011
【図６ａ】
2005162294.tif 000012
【図６ｂ】
2005162294.tif 000013
【図６ｃ】
2005162294.tif 000014
【図７】
2005162294.tif 000015
【図８】
2005162294.tif 000016